【事件の表示】
　特許第３０６７７３５号「デジタル印刷機及びプレートセッタのための分散イメージング及び制御アーキテクチャ」の請求項１ないし１８に係る特許に対する特許異議の申立てについて、次のとおり決定する。
【結　論】
　特許第３０６７７３５号の請求項１ないし１８に係る特許を取り消す。
【理　由】
１．手続の経緯
　特許第３０６７７３５号の請求項１ないし１８に係る発明についての出願は、平成１０年５月１５日（パリ条約による優先権主張１９９７年５月１５日、米国）に出願され、平成１２年５月１９日にその発明についての特許権の設定がされ、その後、請求項１ないし１８に係る特許について、異議申立人大坪都代美により特許異議の申し立てがなされ、平成１５年１０月９日付けの第１回取消理由が通知され、平成１６年４月２６日に第１回特許異議意見書が提出された後、平成１６年１０月１５日付けで第２回取消理由が通知され、平成１７年４月２２日に第２回特許異議意見書が提出されたものである。
　
２．本件発明
　特許第３０６７７３５号の請求項１〜１８に係る発明（以下、「本件発明１〜１８」という。）は、特許請求の範囲の請求項１〜１８に記載された次の事項により特定されるものである。
　「【請求項１】
　ａ．印刷ジョブのソースと、ジョブの選択を容易にするための手段とからなるジョブ制御コンピュータと、
　ｂ．ジョブ制御コンピュータをコンピュータネットワークに接続するためのネットワークインタフェースと、
　ｃ．各々がデジタル表現のイメージパターンに従って印刷部材にイメージを適用するよう構成された複数のイメージングシステムと、
　ｄ．前記複数のイメージングシステムの動作を指示するための複数のイメージ制御コンピュータであって、各々に関連するイメージングシステムが少なくとも１つの印刷部材上にイメージパターンを印像することによって印刷ジョブを実行するようにさせるイメージ制御コンピュータと、及び
　ｅ．前記複数のイメージ制御コンピュータをネットワークに接続し、それによってジョブ制御コンピュータと前記複数のイメージ制御コンピュータの何れかとの間でのネットワークを介する選択的なデータ伝送を可能にするためのネットワークインタフェースとからなり、前記ジョブ制御コンピュータが印刷ジョブの選択を容易にし、この選択に応じて、選択された少なくとも１つのイメージ制御コンピュータに対して前記ネットワークを介して指令を直接に発行し、前記少なくとも１つのイメージ制御コンピュータがこの指令に応答性であり、関連する少なくとも１つのイメージングシステムに選択された印刷ジョブを実行させる、分散イメージング装置。
【請求項２】
　印刷部材をインク付けし、インクをイメージに従って基体に転写するための印刷手段をさらに含む、請求項１の装置。
【請求項３】
　ジョブ制御コンピュータが、ネットワークを介してイメージ制御コンピュータへと指令を発行するための手段を含み、イメージ制御コンピュータがこの指令に応答性であり、これに応じてイメージングシステムに選択された印刷ジョブを実行させる、請求項１の装置。
【請求項４】
　ａ．複数の印刷ジョブを格納する手段を含むイメージサーバと、及び
　ｂ．イメージサーバをネットワークに接続し、それによってジョブ制御コンピュータとイメージサーバとの間でのネットワークを介するデータ伝送を可能にするためのネットワークインタフェースとをさらに含む、請求項３の装置。
【請求項５】
　指令がイメージサーバ上の記憶位置の識別子を含み、イメージ制御コンピュータがさらに、指令に応じて記憶位置からイメージパターンを表すデータを取り出すための手段を含む、請求項４の装置。
【請求項６】
　ジョブ制御コンピュータが少なくとも１つの印刷ジョブを格納するための記憶手段を含む、請求項１の装置。
【請求項７】
　ａ．デジタル表現のイメージパターンに従って印刷部材にイメージを適用するための少なくとも第２のイメージングシステムと、
　ｂ．第２のイメージングシステムと関連しており、
　１）第２のイメージングシステムの動作を指示するための第２のイメージ制御コンピュータであって、第２のイメージングシステムが少なくとも１つの印刷部材上に第２のイメージパターンを印像することによって第２の印刷ジョブを実行するようにさせる第２のイメージ制御コンピュータと、及び
　２）第２のイメージ制御コンピュータをネットワークに接続し、それによってジョブ制御コンピュータと第２のイメージ制御コンピュータの間でのネットワークを介するデータ伝送を可能にするためのネットワークインタフェースとをさらに含み、ジョブ制御コンピュータが、少なくとも１つのイメージングシステムの選択を容易にし、そこにおける選択ジョブの実行を生じさせるための手段を含む、請求項１の装置。
【請求項８】　
　ジョブ制御コンピュータが、ネットワークを介して指定されたイメージ制御コンピュータへと指令を発行するための手段を含み、指定されたイメージ制御コンピュータがこの指令に応答性であり、これに応じて選択されたイメージングシステムに選択された印刷ジョブを実行させる、請求項７の装置。
【請求項９】
　ａ．インク制御コンピュータと、及び
　ｂ．インク制御コンピュータをネットワークに接続し、それによってジョブ制御コンピュータ、イメージ制御コンピュータ、及びインク制御コンピュータの間でのネットワークを介するデータ伝送を可能にするためのネットワークインタフェースとをさらに含み、イメージ制御コンピュータがインク制御コンピュータに対してドットカウントを提供する、請求項２の装置。
【請求項１０】
　ａ．複数の追加的なイメージングシステムであって、各々がインク制御コンピュータに対してドットカウントを提供するためのイメージ制御コンピュータと、印刷部材と、印刷部材にインク付けしてイメージに従って基体にインクを転写するための印刷部材とを含むイメージングシステムと、及び
　ｂ．各々のイメージングシステムにおいてインク制御信号に応答性であり、当該のイメージングシステムに関連する印刷部材に対して適用されるインクの量を調節するためのインク調節手段とをさらに含み、インク制御コンピュータがドットカウントに応じてインク制御信号を発生する手段を含む、請求項９の装置。
【請求項１１】
　イメージ制御コンピュータがジョブ制御コンピュータに対してドットカウントを提供し、ジョブ制御コンピュータがドットカウントに応じてインク制御信号を発生するよう構成されており、さらにインク制御信号に応じて印刷部材に適用されるインクの量を調節するためのインク調節手段を含む、請求項２の装置。
【請求項１２】　
　コンピュータネットワークがインターネットであり、ネットワークインタフェースがインターネットを介して通信するためのブラウザを含む、請求項１の装置。
【請求項１３】　
　イメージングシステムが、
　ａ．リソグラフ印刷イメージを印刷部材上に配置させるための書き込みヘッドと、及び
　ｂ．ソースファイルを表す電子信号に応じて、書き込みヘッドがこれらの電子信号に従って印刷部材をイメージングするようにさせ、それにより印刷部材上にソースファイルに対応するリソグラフ印刷イメージを配置させる制御手段とを含む、請求項１の装置。
【請求項１４】　
　書き込みヘッドが少なくとも１つのレーザ源を含む、請求項１３の装置。
【請求項１５】
　ジョブ制御コンピュータが、ネットワークを介してイメージ制御コンピュータへと指令を発行するための手段を含み、イメージ制御コンピュータがこの指令に応答性であり、これに応じてイメージングシステムに選択された印刷ジョブを実行させ、この指令が印刷部材のイメージング、印刷、及びイメージ補正を含めて印刷機の動作を指示する、請求項２の装置。
【請求項１６】
　前記イメージ制御コンピュータと前記ジョブ制御コンピュータの間のデータ伝送が双方向性である、請求項１の装置。
【請求項１７】　
　選択されたイメージ制御コンピュータが前記ジョブ制御コンピュータに対して状態情報を提供する、請求項１６の装置。
【請求項１８】
　前記状態情報が、
　（i）関連するイメージングシステム、
　（ii）印刷部材に関連するインク付け機構、及び
　（iii）イメージ補正の少なくとも１つのセッティングを含む、請求項１７の装置。」
　　　
３．引用刊行物記載の発明
　先の平成１６年１０月１５日付の第２回取消理由通知の理由に引用した特開平７−７６０６９号公報（平成７年３月２０日頒布、以下、「刊行物１」という。）及び特表平６−５０７３５３号公報（平成６年８月２５日頒布、以下、「刊行物２」という。）には、本件発明１〜１８に関連する事項として以下の事項が図示と共に記載されている。
（１）刊行物１
　ア．「【請求項１】 印刷機の印刷過程を制御するコンピュータ制御のデータ転送コミュニケーションシステム内のコミュニケーション方法において、電気的な制御装置（２０、２１、２２）を有する印刷機（１、２、３）から独立するディジタルの作動を示す印刷プロセスの部分を接続する手段と、特に１つの全印刷版への画像を転送することを可能にする印刷前段階とからなり、この構造が異なる、独立作動する領域および前記印刷機（１、２、３）の間のデータ交換を可能にし、それによってデータ要求双方にフォントに依存しないように操作でき、機種にも依存しないデータ、特に前記印刷前段階から、印刷機の制御のためのデータが得られ、前記印刷前段階から由来する印刷すべきデータが前記印刷機（１、２、３）自体から影響を受け得ることを特徴とするコミュニケーション方法。
【請求項２】 機種に依存しないデータ交換は、前記印刷機の特異的なデータ（プリセット、特性曲線およびコントロールエリアコミュニケーションデータ）が、前記印刷機（１、２、３）のローカルのデータ処理サブステーション（５）と中央データ処理ステーション（４）の間で、前記印刷機（１、２、３）の作業データおよびジョブの特異的なデータとしてデータバンクシステムに供給され、前記中央データ処理ステーション（４）と生産プラニングシステム（ＰＰＳ）（作業、およびジョブデータコミュニケーション）のデータ処理サブステーション（６）に間で行われることを特徴とする請求項１記載のコミュニケーション方法。
【請求項３】 前記中央データ処理ステーション（４）には、一方前記印刷前段階によって前記印刷機（１、２、３）をプリセットするために収集されたデータ（植字、複写、モンタージ、版コピー）が入力され、また一方、データの性質、特に特性曲線との依存によって前記中央データ処理ステーション（４）によって変更され、前記印刷前段階のデータ出力、例えばフィルム、あるいは版へ制御されることを特徴とする特に請求項１および２に記載のコミュニケーション方法。
【請求項４】 片方の前記印刷機（１、２、３）の作用データは、前記中央データ処理ステーション（４）から前記ＰＰＳへ転送され、他方前記ＰＰＳ内に収集したジョブデータが、印刷機の準備のため前記中央データ処理ステーション（４）から呼び出されることを特徴とする特に請求項１および２に記載のコミュニケーション方法。
【請求項５】 前記印刷前段階に保存されているデータは、前記印刷機（１、２、３）に適した方法で、しかし機種に依存せず処理し、圧縮され、これらの圧縮されたデータと印刷機の特異的なデータとの組み合わせによってカラースライダーの位置が算出されることを特徴とする特に請求項１〜３いずれかに記載のコミュニケーション方法。」（【請求項１】〜【請求項５】）
　イ．「【請求項８】 前記印刷過程は、特にコントロールエレメントおよびそれに関する前記印刷前段階および前記印刷機（１、２、３）の間のデータ交換によって特に機械的に制御されることを特徴とする特に請求項１に記載のコミュニケーション方法。」（【請求項８】）
　ウ．「【請求項１２】 前記印刷機（１、２、３）および前記印刷前段階の間、画像の内容に関連するデータ（例えば密度のヒストグラム、フーリエ解析、色の優位さ、グレイバランスの種類など）が印刷過程を制御するため交換されることを特徴とする特に前記請求項のいずれかに記載のコミュニケーション方法。」（【請求項１２】）
　エ．「【請求項１５】 設計したコミュニケーション構造において、前記印刷機（１、２、３）のための前記電気的な制御装置（２０、２１、２２）が、前記印刷機（１、２、３）の独立したデジタルの作動を示す印刷プロセスの各部分に１つずつのデータ処理サブステーション（５、６）、および生産プラニングシステム（ＰＰＳ）、および前記印刷機（１、２、３）と前記データ処理サブステーション（５、６）の間のデータ交換を可能にする、機種に依存しないインタフェース（７、８）を含み、それによってデータ要求がフォントと依存しないように双方に操作でき、前記機種に依存しないデータ、特に前記印刷前段階および前記ＰＰＳからのもの、前記印刷機を制御するためのデータと前記印刷前段階に由来する印刷すべきデータが前記印刷機（１、２、３）自体によって影響を受ける前記印刷機の印刷過程を制御するコンピュータ制御のデータ交換によるコミュニケーションシステムを成立することを特徴とする特に請求項１によるコミュニケーションシステム。
【請求項１６】 前記印刷機（１、２、３）は、それぞれ１つの前記電気的な制御装置（２０、２１、２２）を有する複数の印刷機構によって構成され、これらの前記電気的な制御装置（２０、２１、２２）が中央データ処理ステーション（４）を介して１つのネットワークを構成し、前記中央データ処理ステーション（４）に各データ処理サブステーション（６）に機種に依存しないインタフェース（７、８）があることを特徴とする請求項１５記載のコミュニケーションシステム。」（【請求項１５】〜【請求項１６】）
　オ．「【請求項２０】 中央データ処理ステーション（４）は、プリントジョブおよびマシーンデータを管理するためにデータバンクシステムを含んでいることを特徴とする請求項１５記載のコミュニケーションシステム。」（【請求項２０】）
　カ．「図１は、１つの印刷機における複数のプリンター１、２、３が共同のジョブ準備のため１つの中央データ処理ステーション４と１つのネットワークを構成されすることを示す。この場合、各プリンター１、２、３が電気的な制御装置２０、２１、２２がある。ローカルのデータ処理サブステーション５、６は、このステーション４と接続されている。この場合、サブステーション５、６とステーション４の間の接続７、８は、機械に依存しない、双方へのデータ転送を可能にするインタフェースで形成されている。この実施例において印刷前段階のための１つのデータ処理ステーション（５）とジョブデータを供給するための生産プーラニングシステム（ＰＰＳ）に付属する１つのデータ処理ステーション６が設計されている。中央データ処理ステーション４は、接続された全てのプリンター１、２、３のための技術的なジョブ準備が含まれている。ジョブの技術的なパラメーターは、カラーコーティング、フォーマット、あるいは紙の厚さが、その以前に（印刷前段階、ＰＰＳ）収集されていなければそこに入力される。さらに、ステーション４にデータバンクシステムが含まれている。これによってジョブおよび機械特性データが管理される。」（段落【００１６】〜【００１８】）
　キ．「ＰＰＳインタフェース８・・・は、工業セグメントソフトウェアーおよびステーション４を互いに接続する。これによってデータコミュニケーションが可能である。その結果は、工業セグメントソフトウェアーから生産のため、また生産から工業分野ソフトウェアーのために必要な最新のデータを速やかに提供することである。事前に収集されたジョブデータは、このインタフェースを介してプリンター１、２、３に入力でき、該当するプリントジョブに配属させることができる。逆に、ＰＰＳがプリンター１、２、３の作業データ、現在の実際の印刷状況、およびジョブのステータスを呼び出すこともできる。それによってＰＰＳが計算、生産プラニング、あるいは費用計算のため必要な基本データを収集する。」（段落【００１９】）
　ク．「印刷機１、２、３は、コントロールエリアから情報を受信するだけではなく、必要に応じて送信することもできる。つまり、印刷前段階に、特定の印刷機１、２、３をもっている制御装置、およびどの制御装置がプレートに置けばよいのかを通信してもらう。それによって印刷版に付けるコントロールエリアの選択を自動的に調整ができる。」（段落【００３０】）
　ケ．「コンピューター援用の印刷のための特殊の機械は、印刷版を機械内に製造するプリンター（コンピュータ − プレス）・・・である。これらの機械は、印刷版を作るため完全な画像情報を必要とする。この場合、推薦される構造は以下のようであるデータは次のように分類されている。１．電子的に保存されている画像を構成する面積エレメントを解析する情報、つまりピクセルデータ、２．人間の目に合うような複製のための追加情報、つまり色管理のためのデータ３．上に説明されているような画像の内容に関する情報、つまり画像の総称的な構造、画像における大事なもの、特に画像の著者の絵画的な総譜。」（段落【００３７】〜【００３８】）
　コ．「印刷機自体は、自己診断に関与するように組み込まれた、また外側のセンサー、例えば色および濃度測定機を介する仕組みによって自分の状態を作業データとして認識することができる。この状態は次に特定の作業状態に配属され、例えば紙の種類、色の種類、ゴム布の種類および作動温度の種類などである。」（段落【００４０】）
　サ．印刷機（１，２，３）、電気的な制御装置（２０，２１，２２）、中央データ処理ステーション（４）及びデータ処理サブステーション（５，６）相互のコミュニケーションの構造を示す図（図１）
　以上の記載を含む刊行物１には、以下の発明が記載されている。
　「中央データ処理ステーション（４）と、それぞれが、印刷版を機械内に製造するプリンター（コンピュータ − プレス）を含む複数の印刷機構によって構成される複数の印刷機（１，２，３）と、前記複数の印刷機（１，２，３）のための複数の電気的な制御装置（２０，２１，２２）とを含み、前記複数の印刷機（１，２，３）のための複数の電気的な制御装置（２０，２１，２２）は前記中央データ処理ステーション（４）を介して１つのネットワークを構成し、前記中央データ処理ステーション（４）は、前記複数の印刷機（１，２，３）のためのプリントジョブ（印刷ジョブ）およびマシーンデータ（機械特性データ）を管理するためにデータバンクシステムを含んでいるコミュニケーションシステム」（以下、「刊行物１発明」という。）
　
（２）刊行物２
　ア．「当業者たちはプレートイメージングのための多数の電子的代替手法を開発してきており、それらの幾つかのものは機上で用いることができる。これらのシステムにおいては、デジタル的に制御されたデバイスが、印刷すべきイメージを表すパターンでもって、ブランクプレートのインク受容性を変化させる。そのようなイメージングデバイスには、一つ又はより多くのレーザ又は非レーザ源により生成される電磁放射パルス源が含まれ、これはプレートブランクに化学的変化を生じさせる」（８頁左上欄２〜９行）
　イ．「印刷機はまた、参照番号４０で概略的に示したコンピュータを含み、これはイメージデータ及び制御信号をコントローラ３０ａ，３０ｂ，３０ｃ及び３０ｄへと転送する。コンピュータ４０とコントローラとの間の接続は、適切なケーブルによってもたらされる。印刷機はコンピュータ４０により供給されるデジタル信号に応答し、この信号は原本たる文書又はイメージを表している。」（１０頁左上欄３〜８行）
　ウ．「これらの放電はプレート表面の選択個所又は領域を物理的に変形させ、それらをインク及び／又は水に対して受容性又は非受容性のものとする。イメージングシステムは好ましくは、スキャナ又はプロッタとして実現され、それらの書き込みヘッドは、プレートの作動表面から僅かな距離を置いて上方に配置され、且つプレート表面上のラスタを集合的に走査するようプレートに対して移動する、一つ又はより多くの電極又はプラズマジェット源からなる。」（１０頁右上欄１４〜２１行）
　エ．「何らかの必要なオフセット（この場合にはプラスｙのオフセット）をキーボード４８を介してコントローラ１４に入力する。コントローラ３０ｄは次いで、イメージングシステム４２ｄの書き込みヘッドが黄色のイメージの書き込みを、そのステーションにおけるプレートシリンダの回転においてより早期に開始するようにさせる。ｘ方向におけるオフセットと同様に、イメージＩｙ及びＩｃの角１ｙ及び１ｃの水平方向の線の位置が重なり合うまで、修正されたプレートをイメージングして修正されたプリントＰを作成する。」（１２頁右下欄２〜１０行）
　オ．「ＣＰＵ４４をプログラムして、各々のインク噴出ドクターブレードに沿ってのインク調節レギュレータ（例えばスクリュー又はキー）を自動的に制御するようにし、各々の調節スクリュー又はキーによってコントロールされるバンドにおいて印刷される各々の色のドット数のカウントに基づき、イメージを横切る所要のインク量に従ってスクリュー又はキーを設定することができる。」（１３頁右上欄１８行〜左下欄１行）
　カ．「印刷機１０は典型的には、印刷機全体にわたって分布された電子制御の多数のインク調節スクリュー又はキーを有することができ、それにより各々の印刷ステーションにおけるインク噴出器がそのステーションにおいてプレートシリンダに対して適用するインクの量を調節するようになっている。・・・コンピュータ４０は各々の印刷ステーションについて、プレートのどの走査ラインが各々のインクキーと関連しているかを決定する。例えばライン１−１００＝キー１、ライン１０１−２００＝キー２といった具合である。・・・コンピュータ４０は次いで、各々のキーに関連しているイメージドットの数を決定し、そのキーについての担当範囲の割合を計算する。これはインクキー当たりの全ドットカウントを、キー当たりの最大ドットカウントで割ったものとして定義される。後者の量は、所与のインクキーに割り当てられた全ての走査ラインにある全てのドットが印刷されるとした場合に、そのインクキーによってインク付けされることのできるドット数の合計を表している。コンピュータ４０は次に、この割合をキー設定へと変換し、その設定を達成するようにキーのソレノイドを適切に制御する。」（１３頁左下欄１４行〜右下欄１４行）
　　　　
４．対比・判断
（１）本件発明１について、
　本件発明１と刊行物１発明とを対比する。
　ア．刊行物１発明の「中央データ処理ステーション（４）」、「複数の印刷機構によって構成される複数の印刷機（１，２，３）」及び「複数の電気的な制御装置（２０，２１，２２）」は、それぞれの機能（上記３．（１）ア．、エ．〜ク．参照）及び相互のコミュニケーションの構造（上記３．（１）サ．）からみて、本件発明１の「ジョブ制御コンピュータ」、「複数のイメージングシステム」及び「複数のイメージ制御コンピュータ」に対応しており、刊行物１発明の「ネットワーク」は「コンピュータネットワーク」といえる。
　イ．刊行物１発明の「コミュニケーションシステム」においては、「複数の印刷機（１，２，３）のための複数の電気的な制御装置（２０，２１，２２）」（複数のイメージングシステムの動作を指示するための複数のイメージ制御コンピュータ）は、中央データ処理ステーション（４）（ジョブ制御コンピュータ）を介して１つのネットワーク（コンピュータネットワーク）を構成すると共に、前記中央データ処理ステーション（４）（ジョブ制御コンピュータ）は、前記複数の印刷機（１，２，３）（複数のイメージングシステム）のためのプリントジョブ（印刷ジョブ）およびマシーンデータ（機械特性データ）を管理するものである（上記３．（１）ア．、エ．〜ク．参照）から、中央データ処理ステーション（４）（ジョブ制御コンピュータ）が印刷ジョブの選択を容易にするための手段を備え、この選択に応じて、選択された１つの電気的な制御装置（イメージ制御コンピュータ）に対してネットワークを介して指令を直接に発行し、前記１つの電気的な制御装置（イメージ制御コンピュータ）がこの指令に応答性であり、関連する印刷機（イメージングシステム）に選択された印刷ジョブを実行させるものであることが明らかであり、また、当該システムを「装置」ということができる。
　ウ．刊行物１発明において、複数の電気的な制御装置（２０，２１，２２）（複数のイメージ制御コンピュータ）は中央データ処理ステーション（４）（ジョブ制御コンピュータ）を介して１つのネットワーク（コンピュータネットワーク）を構成している以上、複数の電気的な制御装置（２０，２１，２２）（複数のイメージ制御コンピュータ）と中央データ処理ステーション（４）（ジョブ制御コンピュータ）のそれぞれをコンピュータネットワークに接続するための各ネットワークインターフェースを備えていることは明らかであり、そして、複数の電気的な制御装置（２０，２１，２２）（複数のイメージ制御コンピュータ）をコンピュータネットワークに接続するためのネットワークインターフェイスは、中央データ処理ステーション（ジョブ制御コンピュータ）と前記複数の電気的な制御装置（２０，２１，２２）（複数のイメージ制御コンピュータ）の何れかとの間でのネットワークを介する選択的なデータ伝送を可能にするためのものであることは自明である。
　以上のことから、両者の一致点と相違点は以下のとおりである。
　［一致点］
　「ａ．ジョブの選択を容易にするための手段からなるジョブ制御コンピュータと、
　ｂ．ジョブ制御コンピュータをコンピュータネットワークに接続するためのネットワークインタフェースと、
　ｃ．複数のイメージングシステムと、
　ｄ．前記複数のイメージングシステムの動作を指示するための複数のイメージ制御コンピュータと、及び
　ｅ．前記複数のイメージ制御コンピュータをネットワークに接続し、それによってジョブ制御コンピュータと前記複数のイメージ制御コンピュータの何れかとの間でのネットワークを介する選択的なデータ伝送を可能にするためのネットワークインタフェースとからなり、前記ジョブ制御コンピュータが印刷ジョブの選択を容易にし、この選択に応じて、選択された少なくとも１つのイメージ制御コンピュータに対して前記ネットワークを介して指令を直接に発行し、前記少なくとも１つのイメージ制御コンピュータがこの指令に応答性であり、関連する少なくとも１つのイメージングシステムに選択された印刷ジョブを実行させる、装置。」
　［相違点］
　Ａ．ジョブ制御コンピュータを、本件発明１では、「印刷ジョブのソースと、ジョブの選択を容易にするための手段とからなる」としているのに対して、刊行物１発明ではその点が定かでない点、
　Ｂ．複数のイメージングシステムが、本件発明１では、各々がデジタル表現のイメージパターンに従って印刷部材にイメージを適用するよう構成されたものであるとしているのに対して、刊行物１発明ではその点が定かでない点、
　Ｃ．複数のイメージ制御コンピュータが、本件発明１では、各々に関連するイメージングシステムが少なくとも１つの印刷部材上にイメージパターンを印像することによって印刷ジョブを実行するようにさせるものであるとしているのに対して、刊行物１発明ではその点が定かでない点、
　Ｄ．装置を、本件発明１では、「分散イメージング装置」としているのに対して、刊行物１発明では「コミュニケーションシステム」としている点。
　［相違点の判断］
　相違点Ａについて、
　本件発明１の「印刷ジョブのソース」について、本件の特許明細書において明確に定義されていないが、通常、印刷とは、印刷物（印刷用紙（基体）上にインクからなる画像が転写されたもの）をつくることをいい、それは、印刷すべき画像（イメージ情報）の作成工程、画像に従って印刷用紙（基体）にインクを転写するための印刷部材（版）の作成工程及び該印刷部材（版）にインク付けして印刷用紙（基体）にインクを転写する工程を含むものであること並びに本件明細書の「ジョブは例えば、各々がカラー分離イメージを表している、或いはラッカーその他の適用領域を規定している、デジタルで記憶された幾つかのファイルからなる。・・・ジョブ制御コンピュータ６４は、ジョブをイメージ制御コンピュータへと送る・・・ジョブ制御コンピュータ６４はイメージ処理機能を含むことができ、これは例えばラスタイメージ処理であって、そこではプリプレスイメージデータとテキストデータ（後者は典型的には、ページ記述言語でエンコードされる）が出力レディビットマップへと変換され、このビットマップが画像信号としてイメージ制御コンピュータ６２に送られる。」（段落【００２３】）との記載からみて、イメージを表しているファイルからなるジョブを印刷機（イメージングシステム）に送る送り手の働きをもっているもの（供給源）を意味していると解される。
　そうすると、刊行物１発明の中央データ処理ステーション（４）も、印刷前段階のための１つのデータ処理ステーション（５）とジョブデータを供給するための生産プーラニングシステム（ＰＰＳ）に付属する１つのデータ処理ステーション（６）とに接続され、当該中央データ処理ステーション（４）は、複数の印刷機（１，２，３）のためのジョブの準備及び管理を行い、ジョブデータは複数の印刷機（１，２，３）に入力でき、該当するプリントジョブに配属させることができるものである（上記３．（１）カ．〜ク．参照）から、刊行物１発明の中央データ処理ステーション（４）も、画像データを含むジョブデータを複数の印刷機（１，２，３）に送る送り手の働きをもっているもの（供給源）であることは明らかであるから、本件発明１と同じように、「印刷ジョブのソースと、ジョブの選択を容易にするための手段とからなるジョブ制御コンピュータ」ということができ、結局、当該相違点Ａは実質的な相違点ではない。
　相違点Ｂ及びＣについて、
　本件発明１の特定事項の「印刷部材にイメージを適用する」（相違点Ｂ）及び「印刷部材上にイメージパターンを印像する」（相違点Ｃ）の記載は、その意味内容に違いがあるとは考えられなく、同義であり、刊行物１発明の印刷版を機械内に製造するプリンター（コンピュータ − プレス）は、ピクセルデータをもつ画像情報を必要とするものである（上記３．（１）ケ．参照）以上、デジタル表現のイメージパターンに従って印刷版（印刷部材）にイメージを適用しているものであり、そうすると、相違点Ｂのように、刊行物１発明の「複数の印刷機（１，２，３）」（複数のイメージングシステム）も、各々がデジタル表現のイメージパターンに従って印刷部材にイメージを適用するよう構成されたものであるということができる。
　また、相違点Ｃのように、刊行物１発明の「複数の電気的な制御装置（２０，２１，２２）」（複数のイメージ制御コンピュータ）は、「複数の印刷機（１，２，３）」（複数のイメージングシステム）を構成する「印刷版を機械内に製造するプリンター（コンピュータ − プレス）」と接続されるものであるから、各々に関連する印刷機（イメージングシステム）が少なくとも１つの印刷版（印刷部材）上にイメージパターンを印像することによって印刷ジョブを実行するようにさせるものであるということができる。
　ゆえに、相違点Ｂ及びＣも実質的な相違点ではない。
　相違点Ｄについて、
　上述のとおり、刊行物１発明の「コミュニケーションシステム」においても、中央データ処理ステーション（４）は、複数の印刷機（１，２，３）のためのプリントジョブ（印刷ジョブ）およびマシーンデータ（機械特性データ）を管理するためのものであり、また、複数の電気的な制御装置（２０，２１，２２）は、複数の印刷機（１，２，３）の動作を指示するためのものである（上記３．（１）ア．、エ．〜ク．参照）から、中央データ処理ステーション（４）と複数の電気的な制御装置（２０，２１，２２）との間で印刷（イメージング）という仕事に係わる役割（タスク）が分散されているものといえるから、本件発明１と刊行物１発明とは、複数のコンピュータ相互間で印刷（イメージング）という仕事に係わる役割（タスク）が分散されている点で共通しているから、相違点Ｄは称呼上の違い以上のものとは認められない。
　ゆえに、相違点Ｄも実質的な相違点ではない。
　したがって、本件発明１は、刊行物１発明と同一である。
　　　
　なお、刊行物１と共に、本件の審査において通知された拒絶理由に引用された特開平８−１１２９４号公報にも、刊行物１発明と同様な発明、すなわち、
　「総合管理端末３０（ジョブ制御コンピュータ）と、複数の生産機械１０ａ，１０ｂ，１０ｃ（複数のイメージングシステム）と、及び前記複数の生産機械１０ａ，１０ｂ，１０ｃ（複数のイメージングシステム）の動作を指示するための複数の端末２０ａ，２０ｂ，２０ｃ（複数のイメージ制御コンピュータ）であって、各々に関連する複数の生産機械１０ａ，１０ｂ，１０ｃ（複数のイメージングシステム）が印刷ジョブを実行するようにさせる複数の端末２０ａ，２０ｂ，２０ｃ（複数のイメージ制御コンピュータ）とを備え、前記総合管理端末３０（ジョブ制御コンピュータ）と前記複数の端末２０ａ，２０ｂ，２０ｃ（複数のイメージ制御コンピュータ）とをローカル・エリア・ネットワーク２６（コンピュータネットワーク）に接続し、それによって総合管理端末３０（ジョブ制御コンピュータ）と前記複数の端末２０ａ，２０ｂ，２０ｃ（複数のイメージ制御コンピュータ）の何れかとの間でのネットワークを介する選択的なデータ伝送を可能にし、前記総合管理端末３０（ジョブ制御コンピュータ）が印刷ジョブの選択を容易にし、この選択に応じて、選択された少なくとも１つのイメージ制御コンピュータに対して前記ネットワークを介して指令を直接に発行し、前記複数の端末２０ａ，２０ｂ，２０ｃ（複数のイメージ制御コンピュータ）のうちの少なくとも１つの端末（イメージ制御コンピュータ）がこの指令に応答性であり、関連する前記複数の生産機械１０ａ，１０ｂ，１０ｃ（複数のイメージングシステム）のうちの少なくとも１つの生産機械（イメージングシステム）に選択された印刷ジョブを実行させる、作業管理システム（分散イメージング装置）」
　が記載乃至示唆されている。
　　
（２）本件発明２、３、７、８について、
　刊行物１発明の「印刷版を機械内に製造するプリンター（コンピュータ − プレス）を含む複数の印刷機構によって構成される複数の印刷機（１，２，３）」のそれぞれの印刷機は、印刷部材（印刷版）をインク付けし、インクをイメージに従って基体（印刷用紙）に転写するための印刷手段を含む（本件発明２）ことは自明である。
　また、第２のイメージングシステムと、第２のイメージ制御コンピュータと、及び第２のイメージ制御コンピュータをネットワークに接続し、それによってジョブ制御コンピュータと第２のイメージ制御コンピュータの間でのネットワークを介するデータ伝送を可能にするためのネットワークインタフェースとをさらに含むこと（本件発明７）は、複数のイメージングシステムと、複数のイメージ制御コンピュータと、及び複数のイメージ制御コンピュータをネットワークに接続し、それによってジョブ制御コンピュータと前記複数のイメージ制御コンピュータの何れかとの間でのネットワークを介する選択的なデータ伝送を可能にするためのネットワークインタフェースとからなること（本件発明１）との間に実質的な相違がない。
　さらに、ジョブ制御コンピュータがイメージ制御コンピュータに対してネットワークを介して指令を直接に発行する（本件発明１）ことは、ジョブ制御コンピュータが、ネットワークを介してイメージ制御コンピュータへと指令を発行するための手段（本件発明３、８）を含んでいることが前提である。
　したがって、本件発明２、３、７、８は、本件発明１の判断と同様な理由で刊行物１発明と同一である。    
　　　
（３）本件発明４、５、６について、
　刊行物１発明の、複数の印刷機（１，２，３）（複数のイメージングシステム）のための複数の電気的な制御装置（２０，２１，２２）（イメージ制御コンピュータ）にネットワーク（コンピュータネットワーク）を介して接続される中央データ処理ステーション（４）（ジョブ制御コンピュータ）は、複数の印刷機（１，２，３）（複数のイメージングシステム）のためのプリントジョブ（印刷ジョブ）を管理するためにデータバンクシステムを含んでいるものであるから、該データバンクシステムの構築の１つの選択肢として、本件発明４のように、複数の印刷ジョブを格納する手段を含むイメージサーバと、及びイメージサーバをネットワークに接続し、それによって中央データ処理ステーション（４）（ジョブ制御コンピュータ）とイメージサーバとの間でのネットワークを介するデータ伝送を可能にするためのネットワークインタフェースとを含むように構成することは当業者が普通に考えることである。
　そうすれば、複数の電気的な制御装置（２０，２１，２２）（イメージ制御コンピュータ）に、イメージサーバに格納（記憶）された印刷ジョブのイメージパターンを取り出すために、本件発明５のように、中央データ処理ステーション（４）（ジョブ制御コンピュータ）が発行する指令が、イメージサーバ上の記憶位置の識別子を含み、複数の電気的な制御装置（２０，２１，２２）（イメージ制御コンピュータ）が指令に応じて記憶位置からイメージパターンを表すデータを取り出すための手段を含むようになすことも、当然なことである。
　また、データバンクシステムの構築のもう１つの選択肢として、本件発明６のように、中央データ処理ステーション（４）（ジョブ制御コンピュータ）が印刷ジョブを格納するための記憶手段を含むようにすることも、当業者が容易に想到することである。
　ゆえに、本件発明４、５、６は、刊行物１発明に基づいて当業者が容易に発明をすることができたものである。
　　　
（４）本件発明９、１０、１１について
　上述したように、刊行物１発明の複数の印刷機（１，２，３）のそれぞれの印刷機（イメージングシステム）は、印刷部材（印刷版）をインク付けし、インクをイメージに従って基体（印刷用紙）に転写するための印刷手段を含むことは自明であり、上記刊行物２には、印刷機全体にわたって分布された電子制御の多数のインク調節キー（インク調節手段）を有することができ、それにより各々の印刷ステーションにおけるインク噴出器がそのステーションにおいてプレートシリンダ（印刷部材）に対して適用するインクの量を調節するようになっている印刷機において、印刷機のためのコンピュータが、各々の印刷ステーションについて、プレートのどの走査ラインが各々のインクキーと関連しているかを決定し、次いで、各々のキーに関連しているイメージドットの数（ドットカウント）を決定し、そのキーについての担当範囲の割合を計算し、次に、この割合をキー設定へと変換し、その設定を達成するようにキーのソレノイドを適切に制御するようにすること（以下、「刊２インクの量調節構成」という。）が記載されている（上記３．（２）オ．、カ．参照）。
　当該刊２インクの量調節構成を、刊行物１発明のコミュニケーションシステム（分散イメージング装置）に適用することに格別阻害要因がないから、想到容易であり、その際に、コンピュータの機能を分散及び集中させるように、１つの選択肢として、本件発明９のように、中央データ処理ステーション（４）（ジョブ制御コンピュータ）や、電気的な制御装置（２０，２１，２２）（イメージ制御コンピュータ）とは別個の、イメージドットの数（ドットカウント）に応じて、プレートシリンダ（印刷部材）に対して適用するインクの量を調節するインク調節信号を発生するコンピュータ（該コンピュータを「インク制御コンピュータ」と称することも適宜であり、以下そのように称する。）と、該インク制御コンピュータをネットワークに接続し、それによって中央データ処理ステーション（４）（ジョブ制御コンピュータ）、電気的な制御装置（２０，２１，２２）（イメージ制御コンピュータ）、及びインク制御コンピュータの間でのネットワークを介するデータ伝送を可能にするためのネットワークインタフェースとを含み、イメージ制御コンピュータがインク制御コンピュータに対してドットカウントを提供するようにすることも想到容易であり、そうすると、本件発明１０が構成されることも当然の結果である。
　また、もう一つの選択肢として、本件発明１１のように、別個のコンピュータを使用せずに、電気的な制御装置（２０，２１，２２）（イメージ制御コンピュータ）が中央データ処理ステーション（４）（ジョブ制御コンピュータ）に対してイメージドットの数（ドットカウント）を提供し、中央データ処理ステーション（４）（ジョブ制御コンピュータ）にイメージドットの数（ドットカウント）に応じてインク制御信号を発生するように構成することも想到容易である。
　したがって、 本件発明９、１０、１１は、刊行物１発明及び刊行物２に記載のものから当業者が容易に発明をすることができたものである。
　　　　
（５）本件発明１２について、
　本件の優先日当時、コンピュータネットワークとしてのインターネット及びインターネットを介して通信するためのネットワークインターフェイスとしてブラウザは、周知であり、これを、本件発明１２のように、刊行物１発明に使用することに格別阻害要因がなく、当業者が想到容易である。
　　　　
（６）本件発明１３、１４について
　刊行物１発明の印刷機（１，２，３）（イメージングシステム）は、印刷版を機械内に製造するプリンター（コンピュータ − プレス）を含むものであるから、本件発明１３のように、印刷イメージを印刷版（印刷部材）上に配置させるための書き込みヘッドと、及びソースファイルを表す電子信号に従って印刷版（印刷部材）をイメージングするようにさせ、それにより印刷版（印刷部材）上に印刷すべきソースファイルに対応する印刷イメージを配置させる制御手段を含んでいることは、自明であり、また、その書き込みヘッドがリソグラフ印刷イメージを印刷部材上に配置させるためのものであり（本件発明１３）、少なくとも１つのレーザ源を含むようにする（本件発明１４）ことも、そのような書き込みヘッドが刊行物２のア．及びウ．の記載にみられるように、よく知られている（プレート表面の選択個所又は領域を物理的に変形させ、それらをインク及び／又は水に対して受容性又は非受容性のものとすることから、リソグラフ印刷であることは自明。）から、当業者が想到容易である。
　したがって、本件発明１３、１４は、刊行物１発明及び刊行物２に記載のものから当業者が容易に発明をすることができたものである。
　　　　
（７）本件発明１５について、
　印刷機の動作に、イメージ補正を含ませることは、刊行物２に記載されており（上記３．（２）エ．参照）、これを刊行物１発明に適用することに阻害要因がないから、適用容易であり、そうすれば、本件発明１５のように、中央データ処理ステーション（４）（ジョブ制御コンピュータ）が電気的な制御装置（２０，２１，２２）（イメージ制御コンピュータ）に発行する、印刷機（１，２，３）（イメージングシステム）に選択された印刷ジョブを実行させる指令が、印刷部材のイメージング、印刷、及びイメージ補正を含めて印刷機の動作を指示するようになることは当然である。
　したがって、本件発明１５は、刊行物１発明及び刊行物２に記載のものから当業者が容易に発明をすることができたものである。
　　　
（８）本件発明１６〜１８について、
　刊行物１には、印刷機（１，２，３）（イメージングシステム）は、コントロールエリアからジョブデータを受信するだけでなく、自己の状態を含む作業データを返信することが記載され（上記３．（１）カ．〜ク．、コ．参照）ており、そして、これらのデータ交換は、刊行物１の図１の印刷機（１，２，３）（イメージングシステム）、電気的な制御装置（２０，２１，２２）（イメージ制御コンピュータ）及び中央データ処理ステーション（４）（ジョブ制御コンピュータ）相互のコミュニケーションの構造からみて、本件発明１６のように、電気的な制御装置（２０，２１，２２）（イメージ制御コンピュータ）及び中央データ処理ステーション（４）（ジョブ制御コンピュータ）の間のデータ伝送が双方向性であること及び、本件発明１７及び本件発明１８のように、選択された電気的な制御装置（２０）（イメージ制御コンピュータ）が中央データ処理ステーション（４）（ジョブ制御コンピュータ）に対して関連する印刷機（１）（イメージングシステム）の状態を提供することが明らかである。
　したがって、本件発明１６〜１８も、上記刊行物１に記載された発明ということができる。
　　
５．むすび
　以上のとおり、本件発明１〜１８は、上記刊行物１に記載された発明と同一であるかまたは刊行物１に記載された発明若しくは刊行物１及び２に記載された発明に基づいて当業者が容易に発明をすることができたものであるから、本件発明１〜１８についての特許は、特許法第２９条第１項または第２項の規定に違反してされたものであり、同法第１１３条第２号に該当し、取り消されるべきものである。
　よって、結論のとおり決定する。
【異議決定日】
平成１８年１月１０日（２００６．１．１０）